(57)【要約】      （修正有）【課題】データを記録媒体に記録するデータ記録装置において、データを記録する際にそのデータに係る文字情報を所望通りに作成し、同一の記録媒体にそのデータに対応付けて記録させ、且つ、装置本体を小型に抑える。【解決手段】データに係る文字情報を当該データと対応して書込むための書込み手段８を備え、且つ、その書込み手段８を、装置本体とは別体であって、書込むべき文字情報を入力して送信する送信手段２０と、装置本体に一体に設けられ、送信手段２０からの文字情報を受信する受信手段２１を備えて構成した。【選択図】図１
2007035230.tif 000002
【特許請求の範囲】
【請求項１】
装置本体に備えられ、入力されるデータを記録媒体に記録するためのデータ記録手段と、そのデータ記録手段によって記録媒体にデータを記録する場合に、そのデータに係る文字情報を当該データと対応して書込むための書込み手段が備えられ、
上記書込み手段が、装置本体とは別体に設けられ、書込むべき文字情報を入力して送信する送信手段と、装置本体に一体に設けられ、前記送信手段からの文字情報を受信する受信手段を備えて構成されるデータ記録装置。
【請求項２】
送信手段から受信手段への文字情報の送受が有線若しくは無線で行われる構成の請求項１に記載のデータ記録装置。
【請求項３】
送信手段が、テンキーによる入力で文字情報を作成し、その文字情報を送信し得る請求項２に記載のデータ記録装置。
【発明の詳細な説明】
【技術分野】
【０００１】
この発明は記録媒体にデータを記録するデータ記録装置に関し、記録媒体にデータを記録する際に、そのデータに係る文字情報、例えばファイルネーム、データの作成日、音楽データの場合では作曲家、作詞家、歌手等の名前等を当該データに対応付けて記録させ得るデータ記録装置に関する。
【背景技術】
【０００２】
記録媒体にデータの記録を行う場合に、記録すべきデータがその記録媒体と同じ容量であったり、記録すべきデータについてファイルの数が少ない場合は、例えばファイルネーム、データの作成日、音楽データの作曲家、作詞家、歌手等の名前等の当該データに係る文字情報は少なく、当該記録媒体に記録する必要性は高くはない。
しかしながら、一つの記録媒体に数多くのファイルのデータを記録する場合に、再生する際に再生させたいファイルを読出すためにはそれぞれのファイルが特定され得る必要が生じて来る。
【０００３】
そこで、それぞれのファイルが特定され得るためには、ファイルの作成の前後等において当該ファイルに係る文字情報を作成し、当該ファイルとそれに係る文字情報を対応付けて記録する方法が採用されている。
このようにすることによって、ファイルに係る文字情報、例えばファイル名を対応して書込んでおいた場合には、再生時に数多くあるファイルから目的のファイル名を表示させることによって目的のファイルを簡単に短時間で読出し見付けることが可能になるという利便性が得られる。
【０００４】
他方、今日では、技術の進歩によって記録媒体の容量が増大し、記録できるデータの量が増加したため、一つの記録媒体に、より数多くのファイルを記録することが可能になっている。又、ユーザーは、より数多くのファイルを記録する傾向が強くなっている。
従って、ファイルの数が多くなると、ファイルと共にファイルに係る文字情報（ファイル名等）を記録し、必要に応じてそのデータに係る文字情報を読出せる構成にしておかなければ、データの管理が煩雑になり、容量の大きい記録媒体を上手に活用できないという問題も生じて来ている。
【０００５】
そこで、記録媒体に、記録すべきデータに加え、ファイルネーム等の当該ファイルに係る文字情報を対応付けて記録し、各ファイルの内容を簡単に知る技術として、以下の公報で開示されている。
【０００６】
【特許文献１】特開２００５−２６８５０号公報
【発明の開示】
【発明が解決しようとする課題】
【０００７】
特開２００５−２６８５０号公報で開示されているデータの各ファイル内容を簡便に知る技術はデータが映像に係るものであり、記録媒体に既に記録されているダイジェスト映像を一画面に配列して再生表示することによって、各ファイル内容を簡単に知るということが示されている。
加えて、特開２００５−２６８５０号公報には、ダイジェスト映像等の文字情報を記録媒体に記録する機能も開示されている。
【０００８】
そして、特開２００５−２６８５０号公報においてファイルに係る文字情報の記録媒体への記録は関連情報作成手段が行うことが開示されている。
尚、この関連情報作成手段は、図５、図１５等によれば、装置内に含まれて構成されていることが覗える。
又、特開２００５−２６８５０号公報で開示されている装置では、既知のデータを加工して記録するものであって、データの各ファイル内容に係る情報を任意に作成して記録する構成にはなっていない。つまり、コンピューターを用いて、既知のデータに基づいて新たなファイルを作成し、そのファイルに対してコンピューターのキーボードからファイル名等の情報を書込むことが考えられる。
【０００９】
しかしながら、このコンピューターを用いた方法では、まず元になるデータが既に用意されていて、そのデータをコンピュータによって編集する場合には有効であるが、データを最初から採集して記録し、且つ、その記録するデータに対応させて文字情報を一緒に記録するという場合には適応できないという問題が生じる。
【００１０】
さて、今日のデータ記録装置は多機能性を有していることから、この多機能性に対応して操作釦類が多くなっている。又、表示内容が多様化していることから、表示パネルが大型化して来ている。
従って、装置本体の表面は、操作釦類と表示パネルで大きく占められていて、空きスペースを確保し難いと状態になっている。
【００１１】
他方、戸外でデータを採集・記録し、そのデータ、そのデータに対応させてデータに係る文字情報を所望に作成して同一の記録媒体に対応付けて記録する場合等では、データ記録装置本体が携帯してデータの採集・記録を行い易くするように、データ記録装置は小型・軽量であるほど望ましい。
よって、装置本体にデータに係る文字情報を生成するための手段を配設することと装置の小型化・軽量化に抑えることが対立することになるという問題が生じる。
【００１２】
この発明は、上記の事情に鑑みてなされたものであって、データを記録してファイルを作成する際にそのファイルタに係る文字情報を所望通りに作成して同一の記録媒体に対応付けて記録することが可能で、且つ、装置本体を小型に抑え得るデータ記録装置を提供するものである。
【課題を解決するための手段】
【００１３】
この発明は、装置本体の外部から、記録するデータファイルに係る文字情報を作成して出力し、対応付けて同一記録媒体に記録するように構成したデータ記録装置である。
【００１４】
その詳細な構成は、装置本体に備えられ、入力されるデータを記録媒体に記録するためのデータ記録手段と、そのデータ記録手段によって記録媒体にデータを記録する場合に、そのデータに係る文字情報を当該データと対応して書込むための書込み手段が備えられ、
上記書込み手段が、装置本体とは別体に設けられ、書込むべき文字情報を入力して送信する送信手段と、装置本体に一体に設けられ、前記送信手段からの文字情報を受信する受信手段を備えて構成されるデータ記録装置である。
【００１５】
又、送信手段と受信手段の通信は具体的に、文字情報の送受が可能な無線通信、赤外線通信、有線通信が挙げられる。
【００１６】
更に、より一層具体的な無線通信は、移動体通信方式の一つであるパーソナル・ハンディフォン・システム（以後、「ＰＨＳ」と称する）の送受話器をトランシーバ・モードを用いて文字情報を送信することが挙げられる。
又、文字データを送信する機能を有するトランシーバ装置、赤外線通信装置が、挙げられる。
【００１７】
加えて、文字情報を作成して送信することが可能な文字情報出力端末装置と装置本体をケーブルで接続し、作成した文字情報を装置本体に送る構成が挙げられる。
尚、送信手段は、装置本体と別体の構成であるが、装置本体に着脱可能な構成であってもよく、又、装置本体の内部に収納される構成であってもよい。
【００１８】
斯かる構成のデータ記録装置では、記録するデータに係る文字情報を当該データに対応付けて記録するための書込み手段が、装置本体とは別体の送信手段から入力させる構成になっていることより、装置本体は送信手段が持つべき機能を備えて構成する必要がない。
【００１９】
同様に、斯かる構成であることより、装置本体の配置位置、配置姿勢に関わらず、書込み手段を機能させてデータに係る文字情報を書込むことが可能になっている。
【発明の効果】
【００２０】
この発明は、データに係る文字情報を当該データに対応付けて記録するための書込み手段を、装置本体と別体であって文字情報を送信し得る送信手段と、その送信手段からの文字情報を受信する受信手段を備えて構成されていることにより、文字情報を作成するための入力キー等を装置本体に配設する必要がなく、装置本体を小さく抑え得るデータ記録装置である。
又、この発明は、装置そのものが小型であって、文字情報の入力にコンピュータ等の大掛かりの装置を必要としないことから、携行して任意の場所において記録するデータに係る文字情報を対応付けて記録することが簡便に行うことのできるデータ記録装置である。
【００２１】
更に、書込み手段の送信手段として、文字情報を送ることが可能なＰＨＳの送受話器、文字情報を送ることが可能なトランシーバ等を用いることにより、それらＰＨＳの送受話器、トランシーバ等と兼用が可能で、簡便な構成を得ることができる。
【発明を実施するための最良の形態】
【００２２】
この発明を、図面に示す最良の形態に基づき説明する。しかし、この形態によって、この発明が限定されるものではない。
データ記録装置１は、マイクロフォン２と、アンプ３と、Ａ／Ｄ変換器４と、デジタル信号プロセッサ５（以下、「ＤＳＰ５」と称する）と、制御手段６と、メモリ手段であるバッファメモリ７と、書込み手段８と、Ｄ／Ａ変換器９と、アンプ１０と、スピーカ１１と、操作手段１２及び表示手段１３が備えられている。
尚、１４は、記録媒体であって、具体的には、半導体メモリである。
【００２３】
マイクロフォン２は、記録対象データの音声を入力してアナログ信号に変換するものである。マイクロフォン２は、装置本体１５の上面に配設されている。
アンプ３は、マイクロフォン２の後段に接続され、マイクロフォン２からの音声データを示すアナログ信号のボリュームを所望の大きさに加工するものである。
【００２４】
Ａ／Ｄ変換器４は、アンプ３の後段に接続され、所望の大きさに加工されたアナログ信号を入力しデジタル信号に変換して出力するものである。
ＤＳＰ５は、制御手段６からの制御信号に基づいて、Ａ／Ｄ変換器４からのデジタル信号のデータを受取った際に、そのデータを記録媒体１４に記録するようにデータ記録手段手段として機能するものである。
【００２５】
又、ＤＳＰ５は、制御手段６からの制御信号に基づいて、記録媒体１４に記録されているデジタル信号のデータを再生してＤ／Ａ変換器９に送るようにデータ再生手段として機能するものである。
尚、Ａ／Ｄ変換器４及びＤ／Ａ変換器９とＤＳＰ５の間にはデジタルのデータ信号を送るためのバス１６が、ＤＳＰ５と制御手段６の間にはデジタルのデータ信号を送るためのバス１７が、ＤＳＰ５とバッファメモリ７の間にはデジタルのデータ信号を送るためのバス１８、バッファメモリ７と記録媒体１４の間にはデジタルのデータ信号を送るためのバス１９が、それぞれ介在されている。
【００２６】
バッファメモリ７は、ＤＳＰ５からのデータを一時的に記録するものである。
ＤＳＰ５からのデータは、バス１８を介してバッファメモリ７に送られ、一時的にバッファメモリ７に記録される。
【００２７】
操作手段１２は、制御手段６に制御機能を行わせるためのものであって、操作釦類は装置本体１５の前面及び天面に配設されている。
又、表示手段１３は、装置のその時点における機能状態を表示するものであって、装置本体１５の前面に配設されており、液晶表示部（図示省略）を備えて構成されている。
【００２８】
データ記録装置１は、更に、データを記録した際にそのデータに係る文字情報をそのデータと対応付けて記録媒体１４に書込むための書込み手段８が備えられている。
書込み手段８は、送信手段２０と、受信手段２１と、制御手段６と、ＤＳＰ５から主に構成されている。
送信手段２０は、装置本体１５とは別体に設けられ、書込むべき文字情報を入力して送信するものである。又、受信手段２１は、装置本体１５の内部に設けられ、送信手段２０からの文字情報を受信するものである。
【００２９】
送信手段２０は具体的に、移動体通信方式の一つであるＰＨＳの送受話器であって、文字情報を送信することが可能な送受話器である。
つまり、より具体的には、ＰＨＳの送受話器で文字情報送信機能を、電話回線ではなくトランシーバ・モードとして使用するものである。
【００３０】
送信手段２０は、本体の天面からアンテナ２２が突出の状態で配設され、本体の前面に操作釦類及び数字・文字の入力キー群を含む操作パネル２３、表示パネル２４、スピーカ音声の出力口２５、マイク用の音声取入れ口２６が配設されている。
尚、操作パネル２３におけるの操作釦類及び数字・文字の入力キー群の操作の仕方及び表示パネル２４おける表示のされ方は、通常のＰＨＳの送受話器と全く同じである。
【００３１】
受信手段２１は、装置本体１５に内設されている。
受信手段２１は、制御手段６に接続されており、送信手段２０から送られて来る文字情報（データ）を受信すると、制御手段６に送るように機能するものである。
制御手段６は、受信手段２１から文字情報を受取ると、その文字情報を内部メモリ（図示省略）に一時記録するように機能する。
【００３２】
ＤＳＰ５は、操作手段１２の操作に基づいて、制御手段６の前記内部メモリに一時記録された文字情報を受取ると、バッファメモリ７を介して関係するデータと対応付けて記録媒体１４にその文字情報を記録するように機能するものである。
【００３３】
データ記録装置１は、上述したように構成されている。以下において、データ記録装置１の使用を説明する。
使用者は、データ記録装置１を携行し、人に対して警戒心の強い野鳥が棲息する山林に入る。野鳥が出没する可能性の高い水場の近傍に、マイクロフォン２を前記水場の方向に向けた姿勢でデータ記録装置１を設置し、操作手段１２を操作して、データ記録装置１の記録機能を開始させる。
【００３４】
使用者は、続いて、前記状態のデータ記録装置１を枝葉でカモフラージュし、物陰に隠れて野鳥の来るのを待機する。
ここで、野鳥が水場に集まって来て囀ると、データ記録装置１は、マイクロフォン２が入力されて来る野鳥の囀り声（音声）をピックアップし、アナログ信号に変換してアンプ３に送る。
アンプ３は、マイクロフォン２からのアナログ信号を受取ると、その音量を所望の大きさに加工し、Ａ／Ｄ変換器４に送る。
【００３５】
Ａ／Ｄ変換器４は、アンプ３からの所望の大きさに加工されたアナログ信号を入力すると、デジタル信号に変換してバス１６に出力する。
ＤＳＰ５は、制御手段６からの制御信号に基づいてデータ記録手段として機能し、バス１６を介してのＡ／Ｄ変換器４からの野鳥の囀り声に係るデジタル信号を受取ると、バス１８を介してそのデジタル信号をバッファメモリ７に送る。
【００３６】
バッファメモリ７は、バス１８からのデジタル信号を所定順序で一時記録して行く。
つまり、バッファメモリ７は、ＤＳＰ５から送られて来るデジタル信号のデータを一時的に蓄えることになる。
次に、バッファメモリ７に一時記録されたデジタル信号のデータは、バス１９を介して記録媒体１４に送られる。
ここで、記録媒体１４は、バッファメモリ７からのデジタル信号のデータを所定順序で記録する。
【００３７】
この時、物陰に隠れている使用者も野鳥の囀りを聞き、又、その野鳥の姿を観察している。ここで、使用者は、囀っている野鳥の特徴を見て取ることができる。
このようにして、使用者は、野鳥の姿とその囀りについて特徴を把握し、必要に応じてメモをとる。
【００３８】
使用者は、野鳥が飛び立って後、データ記録装置１の記録機能を停止させる。
そして、この時記録媒体１４に記録されている野鳥の囀りの音声データに対して、記憶と前記メモに基づき、この野鳥の囀りを採集した場所、日時、天候、野鳥の名前、観察で得られた外見の特徴を、送信手段２０の表示パネル２４を参照しながら操作パネル２３で作成する。
【００３９】
ここで、操作者は、表示パネル２４に表示されている文字情報の内容を確認し、必要に応じて修正等を施して問題のない文字情報つまり前記音声データに係る情報に仕上げ、操作パネル２３を操作して装置本体内の受信手段２１に送信する。
受信手段２１は、前記音声データに係る情報を受取ると、その情報（データ）を制御手段６に送る。
【００４０】
制御手段６は、前記情報を受取って前記内部メモリに一時記録する。
ここで、使用者が、操作手段１２から記録媒体１４に記録されている野鳥の囀りの音声データに対してそのデータに係る情報であって対応付けて記録するように操作すると、制御手段６は操作手段１２からの命令内容に基づき、前記内部メモリに記録の情報を記録媒体１４に記録するように、ＤＳＰ５を制御する。
【００４１】
ＤＳＰ５は、制御手段６からの制御内容に従って、前記野鳥の囀りの音声データに係る文字情報を制御手段６から受取ると、前記野鳥の囀りの音声データに対応付けて記録媒体１４に記録する。
ここで、記録媒体１４は、前記野鳥の囀りの音声データとこれに係る文字情報が対応付けられて記録されている。
使用者は、この後、更に、野鳥の囀りの集音・録音を続け、その録音つまり音声データの記録に対して、同様に、音声データに係る情報の対応付け記録を続けることができる。
【００４２】
以下において、データ記録装置１のデータの記録機能の作動について説明する。
使用者は、データ記録装置１を、データ記録機能からデータの再生機能に切換えて作動させ、前述した野鳥の囀りを記録した音声データを再生するように操作手段１２から操作を行う。
ここで、データ記録装置１は、制御手段６がＤＳＰ５に記録媒体１４からデータを再生するための制御信号を送る。
【００４３】
ＤＳＰ５は、制御手段６の制御信号に基づいて、バッファメモリ７を介して記録媒体１４から野鳥の囀りに係る音声データとこの音声データに係る文字情報を読み出し、その音声データをバス１６に、文字情報をバス１７にそれぞれ送る。
バス１６に送られた音声データは、Ｄ／Ａ変換器９に送られて、デジタル信号からアナログ信号に変換される。
【００４４】
続いて、そのアナログ信号は、アンプ１０に送られて所望のボリュームに増幅され、スピーカ１１に送られる。
所望のボリュームに増幅されたアナログ信号は、スピーカ１１で音声に変換されて出力される。
【００４５】
他方、前記文字情報のデータはバス１７を介して制御手段６に呼込まれ、制御手段６の内部メモリに蓄えられ、且つ、表示手段１３に送られる。
表示手段１３は、前記文字情報のデータを受取ると、前記野鳥の囀りを採集した場所、日時、天候、野鳥の名前、観察で得られた外見の特徴を表示する。
ここで、使用者は、スピーカ１１からの再生された野鳥の囀りを聞くと共に、表示手段１３からこの野鳥の囀りを集音・記録した時の囀りを採集した場所、日時、天候、野鳥の名前、観察で得られた外見の特徴を文字情報として知ることができる。
【００４６】
他方、使用者は、表示手段１３に、記録媒体１４に記録したデータに係る情報の読出しを行なって、記録を行った順序、情報の５０音の順序等で表示させ、その表示内容から所望する記録媒体１４に記録されたデータを選択して再生するという使用も可能である。
斯かる使用では、記録媒体１４へのデータの数が多いほど、データに数値を付与して管理するといった方法に比して、所望しているデータを簡便で迅速に見つけ易いという効果が得られている。
【００４７】
上述したデータ記録装置１の使用においては、書込み手段８を用いて送信手段２０から記録媒体１４に文字情報を書込むための操作をマイクロフォン２からの音声の採集の後、つまり、データの記録後に行なっている。
しかし、データ記録装置１は、文字情報を制御手段６の前記内部メモリに記憶させる構成であることより、文字情報の書込みのための操作は、マイクロフォン２からの音声の採集の前、つまり、データの記録前であってもよく、更に、音声の採集の後に文字データを修正することも可能になっている。
【００４８】
データ記録装置１では、書込み手段８の送信手段２０をＰＨＳの送受話器で構成しているが、文字情報を送ることのできるトランシーバ、文字情報を送るように構成された専用の送信手段であってもよい。
又、送信手段２０はＰＨＳの送受話器であることにより、電波によって文字情報を送信手段２０から受信手段２１に送っているが、赤外線を用いて文字情報を送る構成であってもよい。
【００４９】
更に、データ記録装置１は、書込み手段５の送信手段２０から受信手段２１への信号の送信は電波つまり無線であるが、送信手段２０から受信手段２１への文字情報をケーブルによって送る構成であってもよい。
斯かる構成によって、送信手段２０と装置本体１５の間に障害物があっても、書込み手段５の送信手段２０は受信手段２１に文字情報を確実に送ることが可能になっている。
【００５０】
データ記録装置１は、書込み手段８の送信手段２０は装置本体１５とから受信手段２１への情報の送信が無線、有線に拘わらず、送信手段２０を装置本体１５に収納可能な構成とすることによって、携行性を高めることができる。
又、上述したデータ記録装置１の使用では、野鳥の囀りという音声のデータに係る情報として、野鳥の囀りを採集した場所、日時、天候、野鳥の名前、観察で得られた外見の特徴を文字情報で記録しているが、記録するデータに対応して所望通りの文字情報を記録するのが良い。
【００５１】
データ記録装置１では記録媒体１４として半導体メモリを使用しているが、他の記録媒体、例えばＣＤ、ＣＤにＣＰＵを付加して制御機能を有する記録媒体等であってもよい。  この場合、データ記録手段及び再生手段は、使用する記録媒体に対応させて、適宜対応する手段である構成となる。
【００５２】
データ記録装置１は、ＤＳＰ５が記録媒体１４に記録されたデータを再生するデータ再生手段としても機能してデータ再生手段を備えて構成されているが、データ再生手段を備えていない構成であってもよい。又、データ記録装置１は記録の対象を音声データとしているが、映像データであってもよく、更には、映像と音声の複合したデータであってもよい。
記録すべき対象が映像、映像と音声の複合である場合、文字情報はインデックスとして使用することも可能である。
【図面の簡単な説明】
【００５３】
【図１】この発明の最良の実施の一形態において、記録媒体を接続している際の構成を説明するブロック図である。
【図２】図１に示す形態の外観を示す斜視図である。
【符号の説明】
【００５４】
１      ：データ記録装置
５      ：デジタル信号プロセッサ（ＤＳＰ、データ記録手段で且つデータ再生手段）
６      ：制御手段
８      ：書込み手段
１２    ：操作手段
１３    ：表示手段
１４    ：記録媒体
１５    ：装置本体
２０    ：送信手段
２１    ：受信手段
２３    ：操作パネル
２４    ：表示パネル
【図１】
2007035230.tif 000003
【図２】
2007035230.tif 000004